(57)【特許請求の範囲】
【請求項１】
無線通信システムにおいてＶ２Ｘ(Ｖｅｈｉｃｌｅ ｔｏ Ｅｖｅｒｙｔｈｉｎｇ)端末がＰＳＣＣＨ(Ｐｈｙｓｉｃａｌ ｓｉｄｅｌｉｎｋ ｃｏｎｔｒｏｌ ｃｈａｎｎｅｌ)スケジューリング情報を受信してＰＳＣＣＨ(Ｐｈｙｓｉｃａｌ ｓｉｄｅｌｉｎｋ ｃｏｎｔｒｏｌ ｃｈａｎｎｅｌ)を送信する方法であって、
ＳＬ ＳＰＳ(Ｓｉｄｅｌｉｎｋ Ｓｅｍｉ ｐｅｒｓｉｓｔｅｎｔ ｓｃｈｅｄｕｌｉｎｇ)に関連する下りリンク制御情報(Ｄｏｗｎｌｉｎｋ ｃｏｎｔｒｏｌ ｉｎｆｏｒｍａｔｉｏｎ)を受信する段階；
ＳＬ ＳＰＳ構成(ｃｏｎｆｉｇｕｒａｔｉｏｎ)を活性化する指示によって１番目のＰＳＣＣＨの送信を行う段階；及び
前記指示は前記下りリンク制御情報に含まれ、
前記１番目のＰＳＣＣＨの送信後、予約されたリソースで２番目のＰＳＣＣＨを送信する段階；を含んでなり、
前記下りリンク制御情報が２つ以上のＣＣ(ｃｏｍｐｏｎｅｎｔ ｃａｒｒｉｅｒ)に対するＳＬ ＳＰＳに関連する場合、前記２つ以上のＣＣにおいて前記１番目のＰＳＣＣＨが送信される時間リソース単位は互いに重畳しないものであり、
前記下りリンク制御情報が前記２つ以上のＣＣに対するＳＬ ＳＰＳに関連する場合、前記下りリンク制御情報は前記２つ以上のＣＣ上で送信されるメッセージが同一であるか否かの情報を含む、ＰＳＣＣＨ送信方法。
【請求項２】
前記下りリンク制御情報が２つ以上のＣＣに対するＳＬ ＳＰＳに関連する場合、周波数リソースは、前記下りリンク制御情報が１つのＣＣに対するＳＬ ＳＰＳに関連する場合よりもＮ倍大きい割り当て単位により割り当てられる、請求項１に記載のＰＳＣＣＨ送信方法。
【請求項３】
前記下りリンク制御情報が２つ以上のＣＣに対するＳＬ ＳＰＳに関連する場合、周波数リソース割り当てを指示するフィールドは前記２つ以上のＣＣにおける周波数リソース割り当てを指示する、請求項１に記載のＰＳＣＣＨ送信方法。
【請求項４】
前記２つ以上のＣＣ上で送信されるメッセージが同一でない場合、前記２つ以上のＣＣ上で送信される各メッセージは１つのメッセージの一部に該当する、請求項１に記載のＰＳＣＣＨ送信方法。
【請求項５】
前記周波数リソース割り当てを指示するフィールドは前記下りリンク制御情報に含まれる、請求項１に記載のＰＳＣＣＨ送信方法。
【請求項６】
前記２つ以上のＣＣにおいて前記１番目のＰＳＣＣＨが送信される時間リソース単位はオフセット値だけ離隔する、請求項１に記載のＰＳＣＣＨ送信方法。
【請求項７】
前記オフセットは前記下りリンク制御情報に含まれる、請求項６に記載のＰＳＣＣＨ送信方法。
【請求項８】
前記オフセットは前記端末に予め設定される、請求項６に記載のＰＳＣＣＨ送信方法。
【請求項９】
前記下りリンク制御情報が２つ以上のＣＣに対するＳＬ ＳＰＳに関連する場合、前記下りリンク制御情報に含まれたＳＬ ＳＰＳ構成インデックスは前記２つ以上のＣＣに対するＳＰＳプロセスを指示する、請求項１に記載のＰＳＣＣＨ送信方法。
【請求項１０】
前記下りリンク制御情報に含まれたキャリア指示子フィールドは２つ以上のＣＣ組み合わせを指示する、請求項１に記載のＰＳＣＣＨ送信方法。
【請求項１１】
前記ＳＰＳに関連する下りリンク制御情報はＤＣＩフォーマット５Ａである、請求項１に記載のＰＳＣＣＨ送信方法。
【請求項１２】
前記指示は前記下りリンク制御情報に含まれるＳＰＳ活性化／解除情報である、請求項１に記載のＰＳＣＣＨ送信方法。
【請求項１３】
無線通信システムにおいてＰＳＣＣＨ(Ｐｈｙｓｉｃａｌ ｓｉｄｅｌｉｎｋ ｃｏｎｔｒｏｌ ｃｈａｎｎｅｌ)スケジューリング情報を受信してＰＳＣＣＨを送信するＶ２Ｘ(Ｖｅｈｉｃｌｅ ｔｏ Ｅｖｅｒｙｔｈｉｎｇ)端末装置であって、
送信装置及び受信装置と；及び
プロセッサと；を備えてなり、
前記プロセッサは、
ＳＬ ＳＰＳ(Ｓｉｄｅｌｉｎｋ Ｓｅｍｉ ｐｅｒｓｉｓｔｅｎｔ ｓｃｈｅｄｕｌｉｎｇ)に関連する下りリンク制御情報(Ｄｏｗｎｌｉｎｋ ｃｏｎｔｒｏｌ ｉｎｆｏｒｍａｔｉｏｎ)を受信し、
ＳＬ ＳＰＳ構成(ｃｏｎｆｉｇｕｒａｔｉｏｎ)を活性化する指示によって１番目のＰＳＣＣＨの送信を行い、
前記指示は前記下りリンク制御情報に含まれ、
前記１番目のＰＳＣＣＨの送信後、予約されたリソースで２番目のＰＳＣＣＨを送信し、
前記下りリンク制御情報が２つ以上のＣＣ(ｃｏｍｐｏｎｅｎｔ ｃａｒｒｉｅｒ)に対するＳＬ ＳＰＳに関連する場合、前記２つ以上のＣＣにおいて前記１番目のＰＳＣＣＨが送信される時間リソース単位は互いに重畳しないものであり、
前記下りリンク制御情報が前記２つ以上のＣＣに対するＳＬ ＳＰＳに関連する場合、前記下りリンク制御情報は前記２つ以上のＣＣ上で送信されるメッセージが同一であるか否かの情報を含む、Ｖ２Ｘ端末装置。
【発明の詳細な説明】
【技術分野】
【０００１】
以下の説明は無線通信システムに関し、より具体的には、Ｖ２Ｘ端末が複数のＣＣ(ｃｏｍｐｏｎｅｎｔ ｃａｒｒｉｅｒ)に関連するＰＳＣＣＨスケジューリング情報を受信してＰＳＣＣＨ(Ｐｈｙｓｉｃａｌ ｓｉｄｅｌｉｎｋ ｃｏｎｔｒｏｌ ｃｈａｎｎｅｌ)を送信する方法及び装置に関する。
【背景技術】
【０００２】
無線通信システムが音声やデータなどの多様な種類の通信サービスを提供するために広範囲に展開されている。一般に、無線通信システムは可用のシステムリソース(帯域幅、伝送パワーなど)を共有して多重使用者との通信を支援することができる多重接続(ｍｕｌｔｉｐｌｅ ａｃｃｅｓｓ)システムである。多重接続システムの例としては、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システム、ＭＣ−ＦＤＭＡ(ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【０００３】
装置対装置(Ｄｅｖｉｃｅ−ｔｏ−Ｄｅｖｉｃｅ；Ｄ２Ｄ)通信とは、端末(Ｕｓｅｒ Ｅｑｕｉｐｍｅｎｔ；ＵＥ)同士の間に直接的なリンクを設定し、基地局(ｅｖｏｌｖｅｄ ＮｏｄｅＢ；ｅＮＢ)を介入せずに端末同士が音声、データなどを直接交換する通信方式をいう。Ｄ２Ｄ通信は端末−対−端末(ＵＥ−ｔｏ−ＵＥ)通信、ピア−対−ピア(Ｐｅｅｒ−ｔｏ−Ｐｅｅｒ)通信などの方式を含むことができる。また、Ｄ２Ｄ通信方式は、Ｍ２Ｍ(Ｍａｃｈｉｎｅ−ｔｏ−Ｍａｃｈｉｎｅ)通信、ＭＴＣ(Ｍａｃｈｉｎｅ Ｔｙｐｅ Ｃｏｍｍｕｎｉｃａｔｉｏｎ)などに応用することができる。
【０００４】
Ｄ２Ｄ通信は、急増するデータトラフィックによる基地局の負担を解決できる一方案として考慮されている。例えば、Ｄ２Ｄ通信によれば、既存の無線通信システムと違い、基地局を介入せずに装置間でデータを交換するので、ネットワークの過負荷を減らすことができる。また、Ｄ２Ｄ通信を導入することによって、基地局の手続きの減少、Ｄ２Ｄに参加する装置の消費電力の減少、データ伝送速度の増加、ネットワークの収容能力の増加、負荷分散、セル・カバレッジ拡大などの効果を期待することができる。
【０００５】
現在、Ｄ２Ｄ通信に関連付く形態として、Ｖ２Ｘ通信に対する議論が行われている。Ｖ２Ｘは、車両端末間のＶ２Ｖ、車両と他の種類の端末との間のＶ２Ｐ、車両とＲＳＵ(ｒｏａｄｓｉｄｅ ｕｎｉｔ)との間のＶ２Ｉ通信を含む概念である。
【発明の概要】
【発明が解決しようとする課題】
【０００６】
本発明では、複数のキャリアに関する制御情報を指示する方法を技術的課題とする。
【０００７】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００８】
本発明の一実施例は、無線通信システムにおいてＶ２Ｘ(Ｖｅｈｉｃｌｅ ｔｏ Ｅｖｅｒｙｔｈｉｎｇ)端末がＰＳＣＣＨ(Ｐｈｙｓｉｃａｌ ｓｉｄｅｌｉｎｋ ｃｏｎｔｒｏｌ ｃｈａｎｎｅｌ)スケジューリング情報を受信してＰＳＣＣＨ(Ｐｈｙｓｉｃａｌ ｓｉｄｅｌｉｎｋ ｃｏｎｔｒｏｌ ｃｈａｎｎｅｌ)を送信する方法であって、ＳＬ ＳＰＳ(Ｓｉｄｅｌｉｎｋ Ｓｅｍｉ ｐｅｒｓｉｓｔｅｎｔ ｓｃｈｅｄｕｌｉｎｇ)に関連する下りリンク制御情報(Ｄｏｗｎｌｉｎｋ ｃｏｎｔｒｏｌ ｉｎｆｏｒｍａｔｉｏｎ)を受信する段階；下りリンク制御情報のＳＬ ＳＰＳ構成(ｃｏｎｆｉｇｕｒａｔｉｏｎ)を活性化指示によって１番目のＰＳＣＣＨの送信を行う段階；及びＰＳＣＣＨの送信後、予約されたリソースで２番目のＰＳＣＣＨを送信する段階を含み、下りリンク制御情報が２つ以上のＣＣ(ｃｏｍｐｏｎｅｎｔ ｃａｒｒｉｅｒ)に対するＳＬ ＳＰＳに関連する場合、各ＣＣにおいて１番目のＰＳＣＣＨが送信される時間リソース単位は互いに重畳しない、ＰＳＣＣＨ送信方法である。
【０００９】
本発明の一実施例は、無線通信システムにおいてＰＳＣＣＨ(Ｐｈｙｓｉｃａｌ ｓｉｄｅｌｉｎｋ ｃｏｎｔｒｏｌ ｃｈａｎｎｅｌ)スケジューリング情報を受信してＰＳＣＣＨを送信するＶ２Ｘ(Ｖｅｈｉｃｌｅ ｔｏ Ｅｖｅｒｙｔｈｉｎｇ)端末装置であって、送信装置及び受信装置；及びプロセッサを含み、該プロセッサは、ＳＬ ＳＰＳ(Ｓｉｄｅｌｉｎｋ Ｓｅｍｉ ｐｅｒｓｉｓｔｅｎｔ ｓｃｈｅｄｕｌｉｎｇ)に関連する下りリンク制御情報(Ｄｏｗｎｌｉｎｋ ｃｏｎｔｒｏｌ ｉｎｆｏｒｍａｔｉｏｎ)を受信し、下りリンク制御情報のＳＬ ＳＰＳ構成(ｃｏｎｆｉｇｕｒａｔｉｏｎ)を活性化指示によって１番目のＰＳＣＣＨの送信を行い、ＰＳＣＣＨの送信後、予約されたリソースで２番目のＰＳＣＣＨを送信し、下りリンク制御情報が２つ以上のＣＣ(ｃｏｍｐｏｎｅｎｔ ｃａｒｒｉｅｒ)に対するＳＬ ＳＰＳに関連する場合、各ＣＣにおいて１番目のＰＳＣＣＨが送信される時間リソース単位は互いに重畳しない、Ｖ２Ｘ端末装置である。
【００１０】
下りリンク制御情報が２つ以上のＣＣに対するＳＬ ＳＰＳに関連する場合、周波数リソース割り当てを指示するフィールドにより指示される周波数リソースは、下りリンク制御情報が１つのＣＣに対するＳＬ ＳＰＳに関連する場合よりもＮ倍大きい割り当て単位により割り当てられる。
【００１１】
下りリンク制御情報が２つ以上のＣＣに対するＳＬ ＳＰＳに関連する場合、周波数リソース割り当てを指示するフィールドは２つ以上のＣＣにおける周波数リソース割り当てを指示する。
【００１２】
下りリンク制御情報が２つ以上のＣＣに対するＳＬ ＳＰＳに関連する場合、下りリンク制御情報は２つ以上のＣＣ上で送信されるメッセージが同一であるか否かを指示する情報を含む。
【００１３】
２つ以上のＣＣ上で送信されるメッセージが同一でない場合、２つ以上のＣＣ上で送信される各メッセージは１つのメッセージの一部に該当する。
【００１４】
周波数リソース割り当てを指示するフィールドは下りリンク制御情報に含まれることができる。
【００１５】
各ＣＣにおいて１番目のＰＳＣＣＨが送信される時間リソース単位はオフセット値だけ離隔する。
【００１６】
オフセットは下りリンク制御情報に含まれることができる。
【００１７】
オフセットは端末に予め設定されることができる。
【００１８】
下りリンク制御情報が２つ以上のＣＣに対するＳＬ ＳＰＳに関連する場合、下りリンク制御情報に含まれたＳＬ ＳＰＳ構成インデックスは２つ以上のＣＣに対するＳＰＳプロセスを指示する。
【００１９】
下りリンク制御情報に含まれたキャリア指示子フィールドは２つ以上のＣＣ組み合わせを指示する。
【００２０】
ＳＰＳに関連する下りリンク制御情報はＤＣＩフォーマット５Ａである。
【００２１】
ＤＣＩフォーマット５ＡはＳＰＳ活性化／解除情報を含む。
【発明の効果】
【００２２】
本発明によれば、既存の端末の動作に影響を与えずに複数のキャリアに関する制御情報を指示することができる。
【００２３】
本発明から得られる効果は、以上で言及した効果に制限されず、言及していない他の効果は、以下の記載から、本発明の属する技術の分野における通常の知識を有する者に明確に理解されるであろう。
【図面の簡単な説明】
【００２４】
以下に添付する図面は、本発明に関する理解を助けるためのものであり、本発明の様々な実施の形態を示し、詳細な説明と共に本発明の原理を説明するためのものである。
【００２５】
【図１】無線フレームの構造を示す図である。
【図２】下りリンクスロットにおけるリソースグリッド(ｒｅｓｏｕｒｃｅ ｇｒｉｄ)を示す図である。
【図３】下りリンクサブフレームの構造を示す図である。
【図４】上りリンクサブフレームの構造を示す図である。
【図５】多重アンテナを有する無線通信システムの構成図である。
【図６】Ｄ２Ｄ同期信号が送信されるサブフレームを示す図である。
【図７】Ｄ２Ｄ信号のリレーを説明する図である。
【図８】Ｄ２Ｄ通信のためのＤ２Ｄリソースプールの例を示す図である。
【図９】Ｖ２Ｘに使用される送信モードとスケジューリング方式を説明する図である。
【図１０】Ｖ２Ｘにおいてリソース選択を行う方式を示す図である。
【図１１】Ｄ２ＤにおいてＳＡとデータ送信を説明する図である。
【図１２】Ｖ２ＸにおいてＳＡとデータ送信を説明する図である。
【図１３】ＮＲＡＴのフレーム構造を例示する図である。
【図１４】ＮＲＡＴのフレーム構造を例示する図である。
【図１５】本発明の一実施例によるＰＳＣＣＨ送信方法を説明する図である。
【図１６】送受信装置の構成を示す図である。
【発明を実施するための形態】
【００２６】
以下の実施例は、本発明の構成要素及び特徴を所定の形態で結合したものである。各構成要素又は特徴は、別に明示しない限り、選択的なものとして考慮され得る。各構成要素又は特徴は、他の構成要素や特徴と結合しない形態で実施されてもよく、また、一部の構成要素及び／又は特徴は結合されて本発明の実施例を構成してもよい。本発明の実施例で説明される動作の順序は変更されてもよい。ある実施例の一部の構成や特徴は、他の実施例に含まれてもよく、他の実施例の対応する構成又は特徴に代えてもよい。
【００２７】
本明細書では、本発明の実施例を、基地局と端末間におけるデータ送受信の関係を中心に説明する。ここで、基地局は、端末と通信を直接行うネットワークの終端ノード(ｔｅｒｍｉｎａｌｎｏｄｅ)としての意味を有する。本文書で、基地局により行われるとした特定動作は、場合によっては、基地局の上位ノード(ｕｐｐｅｒｎｏｄｅ)により行われてもよい。
【００２８】
即ち、基地局を含む複数のネットワークノード(ｎｅｔｗｏｒｋ ｎｏｄｅｓ)で構成されるネットワークにおいて、端末との通信のために行われる様々な動作は、基地局、又は基地局以外の他のネットワークノードにより行われるということは明らかである。「基地局(ＢＳ：Ｂａｓｅ Ｓｔａｔｉｏｎ)」は、固定局(ｆｉｘｅｄ ｓｔａｔｉｏｎ)、ＮｏｄｅＢ、ｅＮｏｄｅＢ(ｅＮＢ)、アクセスポイント(ＡＰ：Ａｃｃｅｓｓ Ｐｏｉｎｔ)などの用語に代えてもよい。中継機は、Ｒｅｌａｙ Ｎｏｄｅ(ＲＮ)、Ｒｅｌａｙ Ｓｔａｔｉｏｎ(ＲＳ)などの用語に代えてもよい。また、「端末(Ｔｅｒｍｉｎａｌ)」は、ＵＥ(Ｕｓｅｒ Ｅｑｕｉｐｍｅｎｔ)、ＭＳ(Ｍｏｂｉｌｅ Ｓｔａｔｉｏｎ)、ＭＳＳ(Ｍｏｂｉｌｅ Ｓｕｂｓｃｒｉｂｅｒ Ｓｔａｔｉｏｎ)、ＳＳ(Ｓｕｂｓｃｒｉｂｅｒ Ｓｔａｔｉｏｎ)などの用語に代えてもよい。また、以下の説明において、「基地局」とは、スケジューリング実行ノード、クラスターヘッダー(ｃｌｕｓｔｅｒ ｈｅａｄｅｒ)などの装置を指す意味としても使用可能である。もし、基地局やリレーも、端末が送信する信号を送信すれば、一種の端末と見なすことができる。
【００２９】
以下に記述されるセルの名称は、基地局(ｂａｓｅｓｔａｔｉｏｎ、ｅＮＢ)、セクタ(ｓｅｃｔｏｒ)、リモートラジオヘッド(ｒｅｍｏｔｅｒａｄｉｏｈｅａｄ，ＲＲＨ)、リレー(ｒｅｌａｙ)などの送受信ポイントに適用され、また、特定送受信ポイントで構成搬送波(ｃｏｍｐｏｎｅｎｔ ｃａｒｒｉｅｒ)を区分するための包括的な用語で使われてもよい。
【００３０】
以下の説明で使われる特定用語は、本発明の理解を助けるために提供されたもので、これらの特定用語の使用は、本発明の技術的思想から逸脱することなく他の形態に変更されてもよい。
【００３１】
場合によっては、本発明の概念が曖昧になることを避けるために、公知の構造及び装置を省略したり、各構造及び装置の核心機能を中心にしたブロック図の形式で示すこともできる。また、本明細書全体を通じて同一の構成要素には同一の図面符号を付して説明する。
【００３２】
本発明の実施例は、無線接続システムであるＩＥＥＥ８０２システム、３ＧＰＰシステム、３ＧＰＰ ＬＴＥ及びＬＴＥ−Ａ(ＬＴＥ−Ａｄｖａｎｃｅｄ)システム、及び３ＧＰＰ２システムの少なくとも一つに開示された標準文書でサポートすることができる。即ち、本発明の実施例において本発明の技術的思想を明確にするために説明していない段階又は部分は、上記の標準文書でサーポートすることができる。なお、本文書で開示している全ての用語は、上記の標準文書によって説明することができる。
【００３３】
以下の技術は、ＣＤＭＡ(Ｃｏｄｅ Ｄｉｖｉｓｉｏｎ Ｍｕｌｔｉｐｌｅ Ａｃｃｅｓｓ)、ＦＤＭＡ(Ｆｒｅｑｕｅｎｃｙ Ｄｉｖｉｓｉｏｎ Ｍｕｌｔｉｐｌｅ Ａｃｃｅｓｓ)、ＴＤＭＡ(Ｔｉｍｅ Ｄｉｖｉｓｉｏｎ Ｍｕｌｔｉｐｌｅ Ａｃｃｅｓｓ)、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)などのような種々の無線接続システムに用いることができる。ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)やＣＤＭＡ２０００のような無線技術(ｒａｄｉｏ ｔｅｃｈｎｏｌｏｇｙ)によって具現することができる。ＴＤＭＡは、ＧＳＭ（登録商標）(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ（登録商標）Ｅｖｏｌｕｔｉｏｎ)のような無線技術によって具現することができる。ＯＦＤＭＡは、ＩＥＥＥ８０２．１１(Ｗｉ−Ｆｉ)、ＩＥＥＥ８０２．１６(ＷｉＭＡＸ)、ＩＥＥＥ８０２−２０、Ｅ−ＵＴＲＡ(Ｅｖｏｌｖｅｄ ＵＴＲＡ)などのような無線技術によって具現することができる。ＵＴＲＡは、ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)は、Ｅ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)は、３ＧＰＰ ＬＴＥの進展である。ＷｉＭＡＸは、ＩＥＥＥ８０２．１６ｅ規格(ＷｉｒｅｌｅｓｓＭＡＮ−ＯＦＤＭＡ Ｒｅｆｅｒｅｎｃｅ Ｓｙｓｔｅｍ)及び進展したＩＥＥＥ８０２．１６ｍ規格(ＷｉｒｅｌｅｓｓＭＡＮ−ＯＦＤＭＡ Ａｄｖａｎｃｅｄ ｓｙｓｔｅｍ)によって説明することができる。明確性のために、以下では、３ＧＰＰ ＬＴＥ及び３ＧＰＰ ＬＴＥ−Ａシステムを中心に説明するが、本発明の技術的思想はこれに制限されない。
【００３４】
ＬＴＡ／ＬＴＡ−Ａリソース構造／チャネル
【００３５】
図１を参照して無線フレームの構造について説明する。
【００３６】
セルラーＯＦＤＭ無線パケット通信システムにおいて、上り／下りリンク信号パケット送信はサブフレーム(ｓｕｂｆｒａｍｅ)単位に行われ、１サブフレームは、複数のＯＦＤＭシンボルを含む一定の時間区間と定義される。３ＧＰＰ ＬＴＥ標準では、ＦＤＤ(Ｆｒｅｑｕｅｎｃｙ Ｄｉｖｉｓｉｏｎ Ｄｕｐｌｅｘ)に適用可能なタイプ１無線フレーム(ｒａｄｉｏ ｆｒａｍｅ)構造と、ＴＤＤ(Ｔｉｍｅ Ｄｉｖｉｓｉｏｎ Ｄｕｐｌｅｘ)に適用可能なタイプ２無線フレーム構造を支援する。
【００３７】
図１(ａ)は、タイプ１無線フレームの構造を例示する図である。下りリンク無線フレームは１０個のサブフレームで構成され、１個のサブフレームは時間領域(ｔｉｍｅ ｄｏｍａｉｎ)において２個のスロットで構成される。１個のサブフレームを送信するためにかかる時間をＴＴＩ(ｔｒａｎｓｍｉｓｓｉｏｎ ｔｉｍｅ ｉｎｔｅｒｖａｌ)という。例えば、１サブフレームの長さは１ｍｓであり、１スロットの長さは０．５ｍｓであってよい。１スロットは時間領域において複数のＯＦＤＭシンボルを含み、周波数領域において複数のリソースブロック(Ｒｅｓｏｕｒｃｅ Ｂｌｏｃｋ；ＲＢ)を含む。３ＧＰＰ ＬＴＥ／ＬＴＥ−Ａシステムでは、下りリンクでＯＦＤＭＡを用いているため、ＯＦＤＭシンボルが１シンボル区間を表す。ＯＦＤＭシンボルは、ＳＣ−ＦＤＭＡシンボル又はシンボル区間と呼ぶこともできる。リソースブロック(ＲＢ)はリソース割当て単位であり、１スロットにおいて複数個の連続した副搬送波(ｓｕｂｃａｒｒｉｅｒ)を含むことができる。
【００３８】
１スロットに含まれるＯＦＤＭシンボルの数は、ＣＰ(Ｃｙｃｌｉｃ Ｐｒｅｆｉｘ)の構成(ｃｏｎｆｉｇｕｒａｔｉｏｎ)によって異なってもよい。ＣＰには、拡張ＣＰ(ｅｘｔｅｎｄｅｄ ＣＰ)及び一般ＣＰ(ｎｏｒｍａｌ ＣＰ)がある。例えば、ＯＦＤＭシンボルが一般ＣＰによって構成された場合、１スロットに含まれるＯＦＤＭシンボルの数は７個であってよい。ＯＦＤＭシンボルが拡張ＣＰによって構成された場合、１ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合は、シンボル間干渉をより減らすために、拡張ＣＰを用いることができる。
【００３９】
一般ＣＰが用いられる場合、１スロットは７個のＯＦＤＭシンボルを含み、１サブフレームは１４個のＯＦＤＭシンボルを含む。この時、各サブフレームにおける先頭２個又は３個のＯＦＤＭシンボルはＰＤＣＣＨ(ｐｈｙｓｉｃａｌ ｄｏｗｎｌｉｎｋ ｃｏｎｔｒｏｌ ｃｈａｎｎｅｌ)に割り当て、残りのＯＦＤＭシンボルはＰＤＳＣＨ(ｐｈｙｓｉｃａｌ ｄｏｗｎｌｉｎｋ ｓｈａｒｅｄ ｃｈａｎｎｅｌ)に割り当てることができる。
【００４０】
図１(ｂ)は、タイプ２無線フレームの構造を示す図である。タイプ２無線フレームは、２ハーフフレーム(ｈａｌｆ ｆｒａｍｅ)で構成される。各ハーフフレームは、５サブフレーム、ＤｗＰＴＳ(Ｄｏｗｎｌｉｎｋ Ｐｉｌｏｔ Ｔｉｍｅ Ｓｌｏｔ)、保護区間(Ｇｕａｒｄ Ｐｅｒｉｏｄ；ＧＰ)、及びＵｐＰＴＳ(Ｕｐｌｉｎｋ Ｐｉｌｏｔ Ｔｉｍｅ Ｓｌｏｔ)で構成され、ここで、１サブフレームは２スロットで構成される。ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンク及び下りリンク間に下りリンク信号の多重経路遅延によって上りリンクで生じる干渉を除去するための区間である。一方、無線フレームのタイプにかかわらず、１個のサブフレームは２個のスロットで構成される。
【００４１】
無線フレームの構造は例示に過ぎず、無線フレームに含まれるサブフレームの数、サブフレームに含まれるスロットの数、又はスロットに含まれるシンボルの数は様々に変更されてもよい。
【００４２】
図２は、下りリンクスロットにおけるリソースグリッド(ｒｅｓｏｕｒｃｅ ｇｒｉｄ)を示す図である。同図で、１下りリンクスロットは時間領域で７個のＯＦＤＭシンボルを含み、１リソースブロック(ＲＢ)は周波数領域で１２個の副搬送波を含むとしたが、本発明はこれに制限されない。例えば、一般ＣＰ(ｎｏｒｍａｌ−Ｃｙｃｌｉｃ Ｐｒｅｆｉｘ)では１スロットが７ＯＦＤＭシンボルを含むが、拡張ＣＰ(ｅｘｔｅｎｄｅｄ−ＣＰ)では１スロットが６ＯＦＤＭシンボルを含んでもよい。リソースグリッド上のそれぞれの要素をリソース要素(ｒｅｓｏｕｒｃｅ ｅｌｅｍｅｎｔ)と呼ぶ。１リソースブロックは１２×７個のリソース要素を含む。下りリンクスロットに含まれるリソースブロックの個数ＮDLは、下り送信帯域幅による。上りリンクスロットは下りリンクスロットと同一の構造を有することができる。
【００４３】
図３は、下りリンクサブフレームの構造を示す図である。１サブフレーム内で第１のスロットにおける先頭部の最大３個のＯＦＤＭシンボルは、制御チャネルが割り当てられる制御領域に該当する。残りのＯＦＤＭシンボルは、物理下りリンク共有チャネル(Ｐｈｙｓｉｃａｌ Ｄｏｗｎｌｉｎｋ Ｓｈａｒｅｄ Ｃｈａｎｃｅｌ；ＰＤＳＣＨ)が割り当てられるデータ領域に該当する。３ＧＰＰ ＬＴＥシステムで用いられる下りリンク制御チャネルには、例えば、物理制御フォーマット指示子チャネル(Ｐｈｙｓｉｃａｌ Ｃｏｎｔｒｏｌ Ｆｏｒｍａｔ ＩｎｄｉｃａｔｏｒＣｈａｎｎｅｌ；ＰＣＦＩＣＨ)、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)、物理ＨＡＲＱ指示子チャネル(Ｐｈｙｓｉｃａｌ Ｈｙｂｒｉｄ ａｕｔｏｍａｔｉｃ ｒｅｐｅａｔ ｒｅｑｕｅｓｔ Ｉｎｄｉｃａｔｏｒ Ｃｈａｎｅｌ；ＰＨＩＣＨ)などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上りリンク送信の応答としてＨＡＲＱ ＡＣＫ／ＮＡＣＫ信号を含む。ＰＤＣＣＨで送信される制御情報を、下りリンク制御情報(Ｄｏｗｎｌｉｎｋ Ｃｏｎｔｒｏｌ Ｉｎｆｏｒｍａｔｉｏｎ；ＤＣＩ)という。ＤＣＩは、上りリンク又は下りリンクスケジューリング情報を含んだり、任意の端末グループに対する上りリンク送信電力制御命令を含む。ＰＤＣＣＨは、下りリンク共有チャネル(ＤＬ−ＳＣＨ)のリソース割り当て及び送信フォーマット、上りリンク共有チャネル(ＵＬ−ＳＣＨ)のリソース割り当て情報、ページングチャネル(ＰＣＨ)のページング情報、ＤＬ−ＳＣＨ上のシステム情報、ＰＤＳＣＨ上で送信されるランダムアクセス応答(Ｒａｎｄｏｍ Ａｃｃｅｓｓ Ｒｅｓｐｏｎｓｅ)のような上位層制御メッセージのリソース割り当て、任意の端末グループ内の個別端末に対する送信電力制御命令のセット、送信電力制御情報、ＶｏＩＰ(Ｖｏｉｃｅ ｏｖｅｒ ＩＰ)の活性化などを含むことができる。複数のＰＤＣＣＨが制御領域内で送信されてもよく、端末は複数のＰＤＣＣＨをモニタすることができる。ＰＤＣＣＨは一つ以上の連続する制御チャネル要素(Ｃｏｎｔｒｏｌ Ｃｈａｎｎｅｌ Ｅｌｅｍｅｎｔ；ＣＣＥ)の組み合わせ(ａｇｇｒｅｇａｔｉｏｎ)で送信される。ＣＣＥは、無線チャネルの状態に基づくコーディングレートでＰＤＣＣＨを提供するために用いられる論理割り当て単位である。ＣＣＥは、複数個のリソース要素グループに対応する。ＰＤＣＣＨのために必要なＣＣＥの個数は、ＤＩＣのサイズとコーディングレートなどによって変更されてもよい。例えば、ＰＤＣＣＨ送信にはＣＣＥの個数１，２，４，８(それぞれＰＤＣＣＨフォーマット０，１，２，３に対応)個のうちいずれか１つが用いられてもよく、ＤＣＩのサイズが大きい場合及び／又はチャネル状態が良くないため低いコーディングレートが必要な場合、相対的に多い個数のＣＣＥが１個のＰＤＣＣＨ送信のために用いられてもよい。基地局は、端末に送信されるＤＣＩのサイズ、セル帯域幅、下りリンクアンテナポートの個数、ＰＨＩＣＨリソース量などを考慮してＰＤＣＣＨフォーマットを決定し、制御情報に巡回冗長検査(Ｃｙｃｌｉｃ Ｒｅｄｕｎｄａｎｃｙ Ｃｈｅｃｋ；ＣＲＣ)を付加する。ＣＲＣは、ＰＤＣＣＨの所有者又は用途によって無線ネットワーク臨時識別子(Ｒａｄｉｏ Ｎｅｔｗｏｒｋ Ｔｅｍｐｏｒａｒｙ Ｉｄｅｎｔｉｆｉｅｒ；ＲＮＴＩ)という識別子でマスクされる。ＰＤＣＣＨが特定端末に対するものであれば、端末のｃｅｌｌ−ＲＮＴＩ(Ｃ−ＲＮＴＩ)識別子をＣＲＣにマスクすることができる。又は、ＰＤＣＣＨがページングメッセージに対するものであれば、ページング指示子識別子(Ｐａｇｉｎｇ Ｉｎｄｉｃａｔｏｒ Ｉｄｅｎｔｉｆｉｅｒ；Ｐ−ＲＮＴＩ)をＣＲＣにマスクすることができる。ＰＤＣＣＨがシステム情報(より具体的に、システム情報ブロック(ＳＩＢ))に対するものであれば、システム情報識別子及びシステム情報ＲＮＴＩ(ＳＩ−ＲＮＴＩ)をＣＲＣにマスクすることができる。端末のランダムアクセスプリアンブルの送信に対する応答であるランダムアクセス応答を示すために、ランダムアクセス−ＲＮＴＩ(ＲＡ−ＲＮＴＩ)をＣＲＣにマスクすることができる。
【００４４】
図４は、上りリンクサブフレームの構造を示す図である。上りリンクサブフレームは、周波数領域で制御領域とデータ領域とに区別できる。制御領域には上りリンク制御情報を含む物理上り制御チャネル(Ｐｈｙｓｉｃａｌ Ｕｐｌｉｎｋ Ｃｏｎｔｒｏｌ Ｃｈａｎｎｅｌ；ＰＵＣＣＨ)が割り当てられる。データ領域には、ユーザーデータを含む物理上り共有チャネル(Ｐｈｙｓｉｃａｌ ｕｐｌｉｎｋ ｓｈａｒｅｄ ｃｈａｎｎｅｌ；ＰＵＳＣＨ)が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対(ＲＢ ｐａｉｒ)に割り当てられる。リソースブロック対に属するリソースブロックは、２スロットに対して互いに異なった副搬送波を占める。これを、ＰＵＣＣＨに割り当てられるリソースブロック対がスロット境界で周波数−ホップ(ｆｒｅｑｕｅｎｃｙ−ｈｏｐｐｅｄ)するという。
【００４５】
参照信号(Ｒｅｆｅｒｅｎｃｅ Ｓｉｇｎａｌ；ＲＳ)
【００４６】
無線通信システムにおいてパケットを伝送する時、伝送されるパケットは無線チャネルを介して伝送されるため、伝送過程で信号の歪みが発生し得る。歪んだ信号を受信側で正しく受信するためには、チャネル情報を用いて受信信号で歪みを補正しなければならない。チャネル情報を知るために、送信側と受信側の両方で知っている信号を送信し、前記信号がチャネルを介して受信される時の歪みの程度によってチャネル情報を知る方法を主に用いる。前記信号をパイロット信号(Ｐｉｌｏｔ Ｓｉｇｎａｌ)又は参照信号(Ｒｅｆｅｒｅｎｃｅ Ｓｉｇｎａｌ)という。
【００４７】
多重アンテナを用いてデータを送受信する場合には、正しい信号を受信するためには、各送信アンテナと受信アンテナとの間のチャネル状況を知らなければならない。従って、各送信アンテナ別に、より詳細にはアンテナポート(ｐｏｒｔ)別に別途の参照信号が存在しなければならない。
【００４８】
参照信号は、上りリンク参照信号と下りリンク参照信号とに区分することができる。現在、ＬＴＥシステムには上りリンク参照信号として、
【００４９】
ｉ)ＰＵＳＣＨ及びＰＵＣＣＨを介して伝送された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ Ｓｉｇｎａｌ；ＤＭ−ＲＳ)、
【００５０】
ｉｉ)基地局が、ネットワークが異なる周波数での上りリンクのチャネル品質を測定するためのサウンディング参照信号(Ｓｏｕｎｄｉｎｇ Ｒｅｆｅｒｅｎｃｅ Ｓｉｇｎａｌ；ＳＲＳ)がある。
【００５１】
一方、下りリンク参照信号としては、
【００５２】
ｉ)セル内の全ての端末が共有するセル−特定の参照信号(Ｃｅｌｌ−ｓｐｅｃｉｆｉｃ Ｒｅｆｅｒｅｎｃｅ Ｓｉｇｎａｌ；ＣＲＳ)、
【００５３】
ｉｉ)特定の端末のみのための端末−特定の参照信号(ＵＥ−ｓｐｅｃｉｆｉｃ Ｒｅｆｅｒｅｎｃｅ Ｓｉｇｎａｌ)、
【００５４】
ｉｉｉ)ＰＤＳＣＨが伝送される場合、コヒーレントな復調のために伝送されるＤＭ−ＲＳ(ＤｅＭｏｄｕｌａｔｉｏｎ−Ｒｅｆｅｒｅｎｃｅ Ｓｉｇｎａｌ)、
【００５５】
ｉｖ)下りリンクＤＭＲＳが伝送される場合、チャネル状態情報(Ｃｈａｎｎｅｌ Ｓｔａｔｅ Ｉｎｆｏｒｍａｔｉｏｎ；ＣＳＩ)を伝達するためのチャネル状態情報参照信号(Ｃｈａｎｎｅｌ Ｓｔａｔｅ Ｉｎｆｏｒｍａｔｉｏｎ− Ｒｅｆｅｒｅｎｃｅ Ｓｉｇｎａｌ；ＣＳＩ−ＲＳ)、
【００５６】
ｖ)ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)モードで送信される信号に対するコヒーレントな復調のために送信されるＭＢＳＦＮ参照信号(ＭＢＳＦＮ Ｒｅｆｅｒｅｎｃｅ Ｓｉｇｎａｌ)、
【００５７】
ｖｉ)端末の地理的位置情報を推定するのに使用される位置参照信号(Ｐｏｓｉｔｉｏｎｉｎｇ Ｒｅｆｅｒｅｎｃｅ Ｓｉｇｎａｌ)がある。
【００５８】
参照信号は、その目的によって２種類に大別することができる。チャネル情報の取得のための目的の参照信号、及びデータの復調のために使用される参照信号がある。前者は、ＵＥが下りリンクへのチャネル情報を取得するのにその目的があるため、広帯域で送信されなければならず、特定のサブフレームで下りリンクデータを受信しない端末であってもその参照信号を受信しなければならない。また、これは、ハンドオーバーなどの状況でも用いられる。後者は、基地局が下りリンクデータを送る時、当該リソースに共に送る参照信号であって、端末は、当該参照信号を受信することによってチャネル測定をして、データを復調することができるようになる。この参照信号はデータが伝送される領域に伝送されなければならない。
【００５９】
多重アンテナ(ＭＩＭＯ)システムのモデリング
【００６０】
図５は、多重アンテナを有する無線通信システムの構成図である。
【００６１】
図５(ａ)に示したように、送信アンテナの数をＮｔ個、受信アンテナの数をＮR個と増やすと、送信機又は受信機でのみ多数のアンテナを用いる場合とは異なり、アンテナの数に比例して理論的なチャネル伝送容量が増加する。従って、伝送レートを向上させ、周波数効率を画期的に向上させることができる。チャネル伝送容量が増加することによって、伝送レートは、理論的に、単一のアンテナの利用時の最大伝送レート(Ｒｏ)にレート増加率(Ｒｉ)を掛けた分だけ増加し得る。
【００６２】
【数１】
0006974589.tif 000002
【００６３】
例えば、４個の送信アンテナ及び４個の受信アンテナを用いるＭＩＭＯ通信システムでは、単一のアンテナシステムに比べて、理論上、４倍の伝送レートを取得することができる。多重アンテナシステムの理論的容量増加が９０年代半ばに証明されて以来、これを実質的なデータ伝送率の向上へと導くための様々な技術が現在まで盛んに研究されている。また、いくつかの技術は、既に３世代移動通信と次世代無線ＬＡＮなどの様々な無線通信の標準に反映されている。
【００６４】
現在までの多重アンテナ関連研究動向を見ると、様々なチャネル環境及び多重接続環境での多重アンテナ通信容量計算などに関連する情報理論面の研究、多重アンテナシステムの無線チャネル測定及び模型導出の研究、伝送信頼度の向上及び伝送率の向上のための時空間信号処理技術の研究など、様々な観点で盛んに研究が行われている。
【００６５】
多重アンテナシステムでの通信方法を、数学的モデリングを用いてより具体的に説明する。前記システムには、Ｎｔ個の送信アンテナ及びＮｔ個の受信アンテナが存在すると仮定する。
【００６６】
送信信号を説明すると、Ｎｔ個の送信アンテナがある場合、送信可能な最大情報はＮＴ個である。送信情報は、次のように表現することができる。
【００６７】
【数２】
0006974589.tif 000003
【００６８】
【数３】
0006974589.tif 000004
【００６９】
【数４】
0006974589.tif 000005
【００７０】
【数５】
0006974589.tif 000006
【００７１】
【数６】
0006974589.tif 000007
【００７２】
多重アンテナ無線通信システムにおいてチャネルをモデリングする場合、チャネルは、送受信アンテナインデックスによって区分することができる。送信アンテナｊから受信アンテナｉを経るチャネルをｈijと表示することにする。ｈijにおいて、インデックスの順序は受信アンテナインデックスが先で、送信アンテナのインデックスが後であることに留意されたい。
【００７３】
一方、図５(ｂ)は、ＮＲ個の送信アンテナから受信アンテナｉへのチャネルを示した図である。前記チャネルをまとめてベクトル及び行列の形態で表示することができる。図５(ｂ)において、総ＮＴ個の送信アンテナから受信アンテナｉに到着するチャネルは、次のように表すことができる。
【００７４】
【数７】
0006974589.tif 000008
【００７５】
従って、Ｎｔ個の送信アンテナからＮｒ個の受信アンテナに到着する全てのチャネルは、次のように表現することができる。
【００７６】
【数８】
0006974589.tif 000009
【００７７】
【数９】
0006974589.tif 000010
【００７８】
上述した数式モデリングを通じて、受信信号は、次のように表現することができる。
【００７９】
【数１０】
0006974589.tif 000011
【００８０】
一方、チャネル状態を示すチャネル行列Ｈの行及び列の数は、送受信アンテナの数によって決定される。チャネル行列Ｈにおいて、行の数は受信アンテナの数ＮＲと同一であり、列の数は送信アンテナの数Ｎｔと同一である。即ち、チャネル行列Ｈは、行列がＮＲ×Ｎｔとなる。
【００８１】
行列のランク(ｒａｎｋ)は、互いに独立した(ｉｎｄｅｐｅｎｄｅｎｔ)行又は列の個数のうち最小の個数として定義される。従って、行列のランクは、行又は列の個数よりも大きくなることはない。チャネル行列Ｈのランク(ｒａｎｋ（Ｈ）)は、次のように制限される。
【００８２】
【数１１】
0006974589.tif 000012
【００８３】
ランクの他の定義は、行列を固有値分解(Ｅｉｇｅｎ ｖａｌｕｅ ｄｅｃｏｍｐｏｓｉｔｉｏｎ)した時、０ではない固有値の個数として定義することができる。同様に、ランクの更に他の定義は、特異値分解(ｓｉｎｇｕｌａｒ ｖａｌｕｅ ｄｅｃｏｍｐｏｓｉｔｉｏｎ)した時、０ではない特異値の個数として定義することができる。従って、チャネル行列におけるランクの物理的な意味は、与えられたチャネルで互いに異なる情報を送ることができる最大数といえる。
【００８４】
本文書の説明において、ＭＩＭＯ送信に対する「ランク(Ｒａｎｋ)」は、特定の時点及び特定の周波数リソースで独立して信号を送信できる経路の数を示し、「レイヤ(ｌａｙｅｒ)の数」は、各経路を介して送信される信号ストリームの個数を示す。一般的に送信端は、信号送信に用いられるランク数に対応する個数のレイヤを送信するため、特に言及がない限り、ランクは、レイヤの個数と同じ意味を有する。
【００８５】
Ｄ２Ｄ端末の同期取得
【００８６】
以下では、上述した説明及び既存のＬＴＥ／ＬＴＥ−Ａシステムに基づいて、Ｄ２Ｄ通信において端末間の同期取得について説明する。ＯＦＤＭシステムでは、時間／周波数同期が取られていない場合、セル間干渉(Ｉｎｔｅｒ−Ｃｅｌｌ Ｉｎｔｅｒｆｅｒｅｎｃｅ)により、ＯＦＤＭ信号において互いに異なる端末間にマルチプレクシングが不可能となり得る。同期を取るためにＤ２Ｄ端末が同期信号を直接送受信し、全ての端末が個別的に同期を取ることは非効率的である。従って、Ｄ２Ｄのような分散ノードシステムでは、特定のノードが代表同期信号を送信し、残りのＵＥがこれに同期を取ることができる。言い換えると、Ｄ２Ｄ信号送受信のために、一部のノード(この時、ノードは、ｅＮＢ、ＵＥ、ＳＲＮ(ｓｙｎｃｈｒｏｎｉｚａｔｉｏｎ ｒｅｆｅｒｅｎｃｅ ｎｏｄｅ又は同期ソース(ｓｙｎｃｈｒｏｎｉｚａｔｉｏｎ ｓｏｕｒｃｅ)と呼ぶこともできる)であってもよい。)がＤ２Ｄ同期信号(Ｄ２ＤＳＳ、Ｄ２Ｄ Ｓｙｎｃｈｒｏｎｉｚａｔｉｏｎ Ｓｉｇｎａｌ)を送信し、残りの端末がこれに同期を取って信号を送受信する方式を用いることができる。
【００８７】
Ｄ２Ｄ同期信号としては、プライマリ同期信号(ＰＤ２ＤＳＳ(Ｐｒｉｍａｒｙ Ｄ２ＤＳＳ)又はＰＳＳＳ(Ｐｒｉｍａｒｙ Ｓｉｄｅｌｉｎｋ ｓｙｎｃｈｒｏｎｉｚａｔｉｏｎ ｓｉｇｎａｌ))、セカンダリ同期信号(ＳＤ２ＤＳＳ(Ｓｅｃｏｎｄａｒｙ Ｄ２ＤＳＳ)又はＳＳＳＳ(Ｓｅｃｏｎｄａｒｙ Ｓｉｄｅｌｉｎｋ ｓｙｎｃｈｒｏｎｉｚａｔｉｏｎ ｓｉｇｎａｌ))があり得る。ＰＤ２ＤＳＳは、所定長さのザドフチューシーケンス(Ｚａｄｏｆｆ−ｃｈｕ ｓｅｑｕｅｎｃｅ)又はＰＳＳと類似／変形／反復された構造などであってもよい。また、ＤＬ ＰＳＳとは異なり、他のザドフチュールートインデックス(例えば、２６，３７)を使用することができる。ＳＤ２ＤＳＳは、Ｍ−シーケンス又はＳＳＳと類似／変形／反復された構造などであってもよい。もし、端末がｅＮＢから同期を取る場合、ＳＲＮはｅＮＢとなり、Ｄ２ＤＳＳはＰＳＳ／ＳＳＳとなる。ＤＬのＰＳＳ／ＳＳＳとは異なり、ＰＤ２ＤＳＳ／ＳＤ２ＤＳＳはＵＬサブキャリアマッピング方式に従う。図６には、Ｄ２Ｄ同期信号が送信されるサブフレームが示されている。ＰＤ２ＤＳＣＨ(Ｐｈｙｓｉｃａｌ Ｄ２Ｄ ｓｙｎｃｈｒｏｎｉｚａｔｉｏｎ ｃｈａｎｎｅｌ)は、Ｄ２Ｄ信号送受信の前に端末が最も先に知らなければならない基本となる(システム)情報(例えば、Ｄ２ＤＳＳに関連する情報、デュプレックスモード(Ｄｕｐｌｅｘ Ｍｏｄｅ、ＤＭ)、ＴＤＤ ＵＬ／ＤＬ構成、リソースプール関連情報、Ｄ２ＤＳＳに関連するアプリケーションの種類、ｓｕｂｆｒａｍｅ ｏｆｆｓｅｔ、ブロードキャスト情報など)が送信される(放送)チャネルであってもよい。ＰＤ２ＤＳＣＨは、Ｄ２ＤＳＳと同じサブフレーム上で又は後行するサブフレーム上で送信されてもよい。ＤＭＲＳは、ＰＤ２ＤＳＣＨの復調のために使用することができる。
【００８８】
ＳＲＮは、Ｄ２ＤＳＳ、ＰＤ２ＤＳＣＨ(Ｐｈｙｓｉｃａｌ Ｄ２Ｄ ｓｙｎｃｈｒｏｎｉｚａｔｉｏｎ ｃｈａｎｎｅｌ)を送信するノードであってもよい。Ｄ２ＤＳＳは、特定のシーケンスの形態であってもよく、ＰＤ２ＤＳＣＨは、特定の情報を示すシーケンスであるか、又は事前に定められたチャネルコーディングを経た後のコードワードの形態であってもよい。ここで、ＳＲＮは、ｅＮＢ又は特定のＤ２Ｄ端末であってもよい。部分ネットワークカバレッジ(ｐａｒｔｉａｌ ｎｅｔｗｏｒｋ ｃｏｖｅｒａｇｅ)又はカバレッジ外(ｏｕｔ ｏｆ ｎｅｔｗｏｒｋ ｃｏｖｅｒａｇｅ)の場合には、端末がＳＲＮとなり得る。
【００８９】
図７のような状況でカバレッジ外(ｏｕｔ ｏｆ ｃｏｖｅｒａｇｅ)の端末とのＤ２Ｄ通信のために、Ｄ２ＤＳＳはリレーされてもよい。また、Ｄ２ＤＳＳは、多重ホップを介してリレーされてもよい。以下の説明において、同期信号をリレーするということは、直接基地局の同期信号をＡＦリレーすることだけでなく、同期信号の受信時点に合わせて別途のフォーマットのＤ２Ｄ同期信号を送信することも含む概念である。このように、Ｄ２Ｄ同期信号がリレーされることによって、カバレッジ内の端末とカバレッジ外の端末とが直接通信を行うことができる。
【００９０】
Ｄ２Ｄリソースプール
【００９１】
図８には、Ｄ２Ｄ通信を行うＵＥ１、ＵＥ２、及びこれらが用いるＤ２Ｄリソースプールの例が示されている。図８(ａ)において、ＵＥは、端末又はＤ２Ｄ通信方式に従って信号を送受信する基地局などのネットワーク装備を意味する。端末は、一連のリソースの集合を意味するリソースプール内で特定のリソースに該当するリソースユニットを選択し、当該リソースユニットを用いてＤ２Ｄ信号を送信することができる。受信端末(ＵＥ２)は、ＵＥ１が信号を送信できるリソースプールの構成(ｃｏｎｆｉｇｕｒｅｄ)を受け、当該プール(ｐｏｏｌ)内でＵＥ１の信号を検出することができる。ここで、リソースプールは、ＵＥ１が基地局の接続範囲にある場合には、基地局が知らせることができ、基地局の接続範囲外にある場合には、他の端末が知らせたり、又は事前に定められたリソースで決定されてもよい。一般に、リソースプールは、複数のリソースユニットで構成され、各端末は、一つ又は複数のリソースユニットを選定して自身のＤ２Ｄ信号送信に用いることができる。リソースユニットは、図８(ｂ)に例示した通りであってもよい。図８(ｂ)を参照すると、全体の周波数リソースがＮＦ個に分割され、全体の時間リソースがＮＴ個に分割されて、総ＮＦ＊ＮＴ個のリソースユニットが定義されることがわかる。ここでは、当該リソースプールがＮＴサブフレームを周期にして繰り返されるといえる。特に、一つのリソースユニットが、図示のように周期的に繰り返して現れてもよい。又は時間や周波数領域でのダイバーシチ効果を得るために、一つの論理的なリソースユニットがマッピングされる物理的リソースユニットのインデックスが、時間によって、事前に定められたパターンで変化してもよい。このようなリソースユニットの構造において、リソースプールとは、Ｄ２Ｄ信号を送信しようとする端末が送信に使用できるリソースユニットの集合を意味し得る。
【００９２】
リソースプールは、様々な種類に細分化することができる。まず、各リソースプールで送信されるＤ２Ｄ信号のコンテンツ(ｃｏｎｔｅｎｔｓ)によって区分することができる。例えば、Ｄ２Ｄ信号のコンテンツは区分されてもよく、それぞれに対して別途のリソースプールが構成されてもよい。Ｄ２Ｄ信号のコンテンツとして、ＳＡ(Ｓｃｈｅｄｕｌｉｎｇ ａｓｓｉｇｎｍｅｎｔ；ＳＡ)、Ｄ２Ｄデータチャネル、ディスカバリチャネル(Ｄｉｓｃｏｖｅｒｙ ｃｈａｎｎｅｌ)があり得る。ＳＡは、送信端末が後行するＤ２Ｄデータチャネルの送信に使用するリソースの位置、その他のデータチャネルの復調のために必要なＭＣＳ(ｍｏｄｕｌａｔｉｏｎ ａｎｄ ｃｏｄｉｎｇ ｓｃｈｅｍｅ)やＭＩＭＯ送信方式、ＴＡ(ｔｉｍｉｎｇ ａｄｖａｎｃｅ)などの情報を含む信号であってもよい。この信号は、同一のリソースユニット上でＤ２Ｄデータと共にマルチプレクスされて送信されることも可能であり、この場合、ＳＡリソースプールとは、ＳＡがＤ２Ｄデータとマルチプレクスされて送信されるリソースのプールを意味する。他の名称として、Ｄ２Ｄ制御チャネル(ｃｏｎｔｒｏｌ ｃｈａｎｎｅｌ)又はＰＳＣＣＨ(ｐｈｙｓｉｃａｌ ｓｉｄｅｌｉｎｋ ｃｏｎｔｒｏｌ ｃｈａｎｎｅｌ)と呼ぶこともできる。Ｄ２Ｄデータチャネル(又は、ＰＳＳＣＨ(Ｐｈｙｓｉｃａｌ ｓｉｄｅｌｉｎｋ ｓｈａｒｅｄ ｃｈａｎｎｅｌ))は、送信端末がユーザデータを送信するのに使用するリソースのプールであってもよい。同一のリソースユニット上でＤ２Ｄデータと共にＳＡがマルチプレクスされて送信される場合、Ｄ２Ｄデータチャネルのためのリソースプールでは、ＳＡ情報を除いた形態のＤ２Ｄデータチャネルのみが送信され得る。言い換えると、ＳＡリソースプール内の個別リソースユニット上でＳＡ情報を送信するのに使用されていたＲＥｓを、Ｄ２Ｄデータチャネルリソースプールでは、依然としてＤ２Ｄデータを送信するのに使用することができる。ディスカバリチャネルは、送信端末が自身のＩＤなどの情報を送信して、隣接端末が自身を発見できるようにするメッセージのためのリソースプールであってもよい。
【００９３】
Ｄ２Ｄ信号のコンテンツが同じ場合にも、Ｄ２Ｄ信号の送受信属性に応じて異なるリソースプールを使用することができる。例えば、同じＤ２Ｄデータチャネルやディスカバリメッセージであるとしても、Ｄ２Ｄ信号の送信タイミング決定方式(例えば、同期基準信号の受信時点で送信されるか、それとも一定のＴＡを適用して送信されるか)やリソース割り当て方式(例えば、個別信号の送信リソースをｅＮＢが個別送信ＵＥに指定するか、それとも個別送信ＵＥがプール内で独自で個別信号送信リソースを選択するか)、信号フォーマット(例えば、各Ｄ２Ｄ信号が１サブフレームで占めるシンボルの個数や、一つのＤ２Ｄ信号の送信に使用されるサブフレームの個数)、ｅＮＢからの信号の強度、Ｄ２Ｄ ＵＥの送信電力の強度などによって、再び互いに異なるリソースプールに区分されてもよい。説明の便宜上、Ｄ２ＤコミュニケーションにおいてｅＮＢがＤ２Ｄ送信ＵＥの送信リソースを直接指示する方法をＭｏｄｅ１、送信リソース領域が予め設定されていたり、ｅＮＢが送信リソース領域を指定し、ＵＥが送信リソースを直接選択したりする方法をＭｏｄｅ２と呼ぶことにする。Ｄ２Ｄ ｄｉｓｃｏｖｅｒｙの場合には、ｅＮＢがリソースを直接指示する場合にはＴｙｐｅ２、予め設定されたリソース領域又はｅＮＢが指示したリソース領域でＵＥが送信リソースを直接選択する場合はＴｙｐｅ１と呼ぶことにする。
【００９４】
Ｖ２Ｘでは、集中型スケジューリング(Ｃｅｎｔｒａｌｉｚｅｄ ｓｃｈｅｄｕｌｉｎｇ)に基づくサイドリンク送信モード３と、分散型スケジューリング方式のサイドリンク送信モード４が使用される。図９にはかかる２つの送信モードによるスケジューリング方式が示されている。図９を参照すると、図９(ａ)の集中型スケジューリング方式の送信モード３では、車両が基地局にサイドリンクリソースを要請すると(Ｓ９０１ａ)、基地局がリソースを割り当て(Ｓ９０２ａ)、そのリソースにより他の車両に送信を行う(Ｓ９０３ａ)。集中型送信方式では、他のキャリアのリソースもスケジュールできる。一方、送信モード４に該当する図９(ｂ)の分散型スケジューリング方式は、車両は基地局から予め設定された(Ｓ９０１ｂ)リソース、リソースプールをセンシングし、送信に使用するリソースを選択した後(Ｓ９０２ｂ)、選択したリソースにより他の車両に送信を行う(Ｓ９０３ｂ)。この時、送信リソースの選択には、図１０に示すように、次のパケットの送信リソースも予約される方式が使用される。Ｖ２ＸではＭＡＣ ＰＤＵごとに２回の送信が行われるが、最初送信のためのリソース選択時、再送信のためのリソースが一定時間間隔を置いて予約される。これに関しては、３ＧＰＰ ＴＳ ３６．２１３ ｖ１４.６．０文書１４を参照して、本発明の従来技術として記載する。
【００９５】
ＳＡの送受信
【００９６】
サイドリンク送信モード１端末は、基地局によって構成されたリソースでＳＡ(又は、Ｄ２Ｄ制御信号、ＳＣＩ(Ｓｉｄｅｌｉｎｋ Ｃｏｎｔｒｏｌ Ｉｎｆｏｒｍａｔｉｏｎ))を送信することができる。サイドリンク送信モード２端末は、Ｄ２Ｄ送信に用いるリソースが基地局によって構成される。そして、当該構成されたリソースで時間周波数リソースを選択してＳＡを送信することができる。
【００９７】
サイドリンク送信モード１又は２において、ＳＡ周期は、図９に示すように定義することができる。図９を参照すると、一番目のＳＡ周期は、特定システムフレームから、上位層シグナリングによって指示された所定オフセット(ＳＡＯｆｆｓｅｔＩｎｄｉｃａｔｏｒ)だけ離れたサブフレームで開始することができる。各ＳＡ周期は、ＳＡリソースプールとＤ２Ｄデータ伝送のためのサブフレームプールを含むことができる。ＳＡリソースプールは、ＳＡ周期の一番目のサブフレームから、サブフレームビットマップ(ｓａＳｕｂｆｒａｍｅＢｉｔｍａｐ)でＳＡが送信されると指示されたサブフレームのうち、最後のサブフレームまでを含むことができる。Ｄ２Ｄデータ伝送のためのリソースプールは、モード１の場合、Ｔ−ＲＰＴ(Ｔｉｍｅ−ｒｅｓｏｕｒｃｅ ｐａｔｔｅｒｎ ｆｏｒ ｔｒａｎｓｍｉｓｓｉｏｎ又はＴＲＰ(Ｔｉｍｅ−ｒｅｓｏｕｒｃｅ ｐａｔｔｅｒｎ))が適用されることによって、実際にデータ伝送に用いられるサブフレームが決定され得る。図示のように、ＳＡリソースプールを除くＳＡ周期に含まれたサブフレームの個数がＴ−ＲＰＴビット個数よりも多い場合、Ｔ−ＲＰＴを反復して適用することができ、最後に適用されるＴ−ＲＰＴは、残ったサブフレームの個数だけトランケート(ｔｒｕｎｃａｔｅ)して適用することができる。送信端末は、指示したＴ−ＲＰＴにおいてＴ−ＲＰＴビットマップが１である位置で送信を行い、１つのＭＡＣ ＰＤＵは４回ずつ送信をする。
【００９８】
Ｖ２Ｘ、即ち、サイドリンク送信モード３又は４の場合、Ｄ２Ｄとは異なって、ＳＡ(ＰＳＣＣＨ)とデータ(ＰＳＳＣＨ)がＦＤＭ方式で送信される。Ｖ２Ｘでは、車両通信という特性上、遅延を減らすことが重要であるので、ＳＡとデータを同じ時間リソース上の互いに異なる周波数リソース上でＦＤＭ送信する。図１２にかかる送信方式が例示されているが、図１２(ａ)のようにＳＡとデータが直接隣接しない方式と、図１２(ｂ)のようにＳＡとデータが直接隣接する方式のうちの１つが使用される。かかる送信の基本単位はサブチャネルであるが、サブチャネルは所定時間リソース(例えば、サブフレーム)上で周波数軸上に１つ以上のＲＢサイズを有するリソース単位である。サブチャネルに含まれたＲＢの数、即ち、サブチャネルのサイズとサブチャネルの周波数軸上の開始位置は上位階層シグナリングにより指示される。
【００９９】
なお、車両間通信では、ｐｅｒｉｏｄｉｃ ｍｅｓｓａｇｅタイプのＣＡＭメッセージ(Ｃｏｏｐｅｒａｔｉｖｅ Ａｗａｒｅｎｅｓｓ Ｍｅｓｓａｇｅ)、ｅｖｅｎｔ ｔｒｉｇｇｅｒｅｄ ｍｅｓｓａｇｅタイプのＤＥＮＭメッセージ(Ｄｅｃｅｎｔｒａｌｉｚｅｄ Ｅｎｖｉｒｏｎｍｅｎｔａｌ Ｎｏｔｉｆｉｃａｔｉｏｎ Ｍｅｓｓａｇｅ)などが伝送される。ＣＡＭには、方向及び速度のような車両の動的状態情報、寸法のような車両静的データ、外部照明状態、経路明細などの基本車両情報が含まれている。ＣＡＭのサイズは５０〜３００Ｂｙｔｅである。ＣＡＭはブロードキャストされ、遅延(ｌａｔｅｎｃｙ)は１００ｍｓより大きくてはならない。ＤＥＮＭは車両の故障、事故などの突発状況時に生成されるメッセージである。ＤＥＮＭのサイズは３０００Ｂｙｔｅより小さく、伝送範囲内にある全ての車両がメッセージを受信できる。この時、ＤＥＮＭはＣＡＭより高い優先順位(ｐｒｉｏｒｉｔｙ)を有する。高い優先順位を有するとは、１つのＵＥの観点では、同時伝送が発生した場合、優先順位が高いものを優先して伝送することを意味し、又は複数のメッセージのうち、優先順位が高いメッセージを時間的に優先して伝送するという意味でもある。また複数のＵＥの観点では、優先順位が低いメッセージに対する干渉より優先順位が高いメッセージに対する干渉を少なくして、受信エラーの確率を下げることである。ＣＡＭでもセキュリティオーバーヘッド(ｓｅｃｕｒｉｔｙ ｏｖｅｒｈｅａｄ)が含まれていると、そうではない場合より大きいメッセージサイズを有することができる。
【０１００】
ＮＲ(Ｎｅｗ ＲＡＴ(Ｒａｄｉｏ ａｃｃｅｓｓ ｔｅｃｈｎｏｌｏｇｙ))
【０１０１】
より多い通信装置がより大きい通信容量を要求することにより、既存の無線接続技術(ｒａｄｉｏ ａｃｃｅｓｓ ｔｅｃｈｎｏｌｏｇｙ)に比べて向上したモバイル広帯域通信が必要性が台頭しつつある。また、複数の機器及びモノを連結していつでもどこでも様々なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)が次世代通信において考慮される主なイシューの１つである。また、信頼性(ｒｅｌｉａｂｉｌｉｔｙ)及び遅延(ｌａｔｅｎｃｙ)に敏感なサービス／ＵＥを考慮した通信システム設計が論議されている。このように、ｅｎｈａｎｃｅｄ ｍｏｂｉｌｅ ｂｒｏａｄｂａｎｄ ｃｏｍｍｕｎｉｃａｔｉｏｎ、ｍａｓｓｉｖｅ ＭＴＣ、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮した次世代無線接続技術の導入が論議されていて、本発明では、便宜のために、該当技術をＮＲと称する。
【０１０２】
図１３及び図１４はＮＲに使用可能なフレーム構造を例示している。図１３を参照すると、１つのフレーム単位内にＤＬ制御チャネル、ＤＬ又はＵＬデータ、ＵＬ制御チャネルなどが全て含まれるｓｅｌｆ−ｃｏｎｔａｉｎｅｄ構造を特徴としている。この時、ＤＬ制御チャネルではＤＬデータスケジューリング情報、ＵＬデータスケジューリング情報などが送信され、ＵＬ制御チャネルではＤＬデータに対するＡＣＫ／ＮＡＣＫ情報、ＣＳＩ情報(変調及びコード体系情報、ＭＩＭＯ送信関連情報など)、スケジューリング要請などが送信される。制御領域とデータ領域の間にはＤＬ−ｔｏ−ＵＬ又はＵＬ−ｔｏ−ＤＬスイッチングのための時間ギャップが存在する。また１つのフレーム内にＤＬ制御／ＤＬデータ／ＵＬデータ／ＵＬ制御のうちの一部が構成されないことができる。又は１つのフレームを構成するチャネルごとの順が変わることができる(例えば、ＤＬ制御／ＤＬデータ／ＵＬ制御／ＵＬデータ又はＵＬ制御／ＵＬデータ／ＤＬ制御／ＤＬデータなど)。
【０１０３】
以下、サイドリンクにおいて、キャリア集成(ｃａｒｒｉｅｒ ａｇｇｒｅｇａｔｉｏｎ)が適用される場合、サイドリンクのスケジューリンクのためのＤＣＩフォーマットを拡張／変更するか、又は新しいＤＣＩフォーマットを形成せず、複数のキャリアに関連する制御情報を指示する方法について説明する。即ち、既存の標準文書の変更を最小化し、ＤＣＩオーバーヘッドの防止又はＤＣＩペイロードの増加を最小化するように、既存のＤＣＩフォーマットを最大限活用して、単一のＤＣＩ送信のみで制御情報を送信する方法に関する。但し、以下の説明は、必ず既存のＤＣＩのみに適用されることではなく、以下の説明の全部／一部を含むように既存のＤＣＩフォーマットが変更されるか、又は新しいＤＣＩフォーマットが形成されることも可能である。
【０１０４】
以下の表１は文書３ＧＰＰ ＴＳ ３６．２１２Ｖ１５.１．０に提示されたＰＳＣＣＨをスケジューリングするＤＣＩフォーマット５Ａの定義であり、以下の説明においてＰＳＣＣＨスケジューリング情報に該当する。
【０１０５】
【表１】
0006974589.tif 000013
【０１０６】
実施例
【０１０７】
本発明の一実施例による端末装置は、ＳＬ ＳＰＳ(Ｓｉｄｅｌｉｎｋ Ｓｅｍｉ ｐｅｒｓｉｓｔｅｎｔ ｓｃｈｅｄｕｌｉｎｇ)に関連する(ＰＳＣＣＨスケジューリング情報のための)下りリンク制御情報(Ｄｏｗｎｌｉｎｋ ｃｏｎｔｒｏｌ ｉｎｆｏｒｍａｔｉｏｎ)を受信し、下りリンク制御情報のＳＬ ＳＰＳ構成を活性化指示によって１番目のＰＳＣＣＨ(Ｐｈｙｓｉｃａｌ ｓｉｄｅｌｉｎｋ ｃｏｎｔｒｏｌ ｃｈａｎｎｅｌ)の送信を行う。即ち、１つの下りリンク制御情報の受信によって、複数のキャリアリソースに対するＳＬ ＳＰＳの設定及び解除が同時に行われる。またＰＳＣＣＨの送信後、予約されたリソースで２番目のＰＳＣＣＨを送信することができる。
【０１０８】
ここで、下りリンク制御情報が２つ以上のＣＣ(ｃｏｍｐｏｎｅｎｔ ｃａｒｒｉｅｒ)に対するＳＬ ＳＰＳに関連する場合、各ＣＣにおいて、１番目のＰＳＣＣＨが送信される時間リソース単位は互いに重畳しない。即ち、複数のキャリアリソースに対する同時ＳＰＳ設定及び解除を行っても、個別送信キャリアの送信開始時点を異なるように設定することができる。即ち、各ＣＣにおいて、１番目のＰＳＣＣＨが送信される時間リソース単位はオフセット値だけ離隔するように設定される。オフセットは下りリンク制御情報に含まれるか、上位階層シグナリング(ｅ.ｇ.，ＲＲＣ)により指示されるか、又は端末に予め設定されたものである。
【０１０９】
これは、複数のキャリアリソースに対する同時ＳＰＳ設定及び解除を行う場合、単一のＤＣＩにより制御される全ての複数のキャリアの送信開始時点が全て同一に設定されるが、これにより送信開始時点に複数のキャリアで同時送信が行われて送信電力の分散に問題が発生することを防止するためのものである。
【０１１０】
図１５にはかかる方式の具体的な例が示されている。ＣＣ Ａ、ＣＣ Ｂにおいて、ＳＬ ＳＰＳが活性化された場合、ＣＣ ＡとＣＣ Ｂにおいて１番目のＰＳＣＣＨ送信がオフセットだけ時間差をおいて行われるように構成することができる。ここで、キャリアごとに送信開始時点に対するオフセット値が予め設定されるか、又は上位階層又は物理階層信号により端末にシグナリングされることができる。図１５ではＰＳＣＣＨとＰＳＳＣＨ送信がＦＤＭされる場合を示しているが、これは提案技術に制限を加えることではない。一つのＤＣＩにより複数のキャリアに対するＳＬ ＳＰＳを活性指示し、キャリアごとに実際の送信時間に対するオフセット値を設定するにおいて、ＰＳＣＣＨに対するＰＳＳＣＨに対するオフセット値が互いに異なるように設定される場合も考えることができ、この時、ＰＳＣＣＨとＰＳＳＣＨはＴＤＭ送信が可能である。
【０１１１】
下りリンク制御情報が２つ以上のＣＣに対するＳＬ ＳＰＳに関連する場合、周波数リソースの割り当てを指示するフィールドにより指示される周波数リソースは、下りリンク制御情報が１つのＣＣに対するＳＬ ＳＰＳに関連した場合よりもＮ倍大きい割り当て単位により割り当てられることができる。周波数リソースの割り当てを指示するフィールドは、下りリンク制御情報に含まれることができる。下りリンク制御情報が２つ以上のＣＣに対するＳＬ ＳＰＳに関連する場合、周波数リソースの割り当てを指示するフィールドは、２つ以上のＣＣにおける周波数リソース割り当てを指示するものであるが、以下、これについて詳しく説明する。
【０１１２】
下りリンク制御情報が２つ以上のＣＣに対するＳＬ ＳＰＳに関連する場合、周波数リソース(割り当て)を指示するフィールド(Ｆｒｅｑｕｅｎｃｙ ｒｅｓｏｕｒｃｅ ｌｏｃａｔｉｏｎ ｏｆ ｔｈｅ ｉｎｉｔｉａｌ ｔｒａｎｓｍｉｓｓｉｏｎ ａｎｄ ｒｅｔｒａｎｓｍｉｓｓｉｏｎ ｆｉｅｌｄ)に割り当てられたビットのうちの一部のみを使用して周波数リソースを指示し、該当フィールドの残余ビットで他の送信キャリアのリソースを指示することができる。基地局はサブチャネル単位で全てのリソースを指示した従来技法の代わりに、サブチャネルのＮ倍数単位、或いはサブチャネルの倍数のうち、大きい数を中心として周波数リソースを設定するように動作することができる。その結果、周波数リソース指示のためのＤＣＩフィールドに割り当てられたビットのうち、残余ビットが発生して、該当ビットを用いて他のＣＣのリソースを指示するように設定することである。具体的には、既存のＤＣＩフォーマット５Ａでは、初期送信及び再送信の周波数リソース位置が、以下のように定義されるＲＩＶ(ｒｅｓｏｕｒｃｅ ａｌｌｏｃａｔｉｏｎ ｖａｌｕｅ)により指示される。
【０１１３】
【数１２】
0006974589.tif 000014
【０１１４】
さらに、単一のＤＣＩで複数のキャリアに対する制御を行う場合、全ての送信キャリアで同じ位置の送信リソースを用いてＣＡ送信を行うか、又は予め設定された／シグナリングされた規則によってキャリアごとに実際送信リソースの位置を設定することができる(例えば、キャリアごとに送信リソース位置に予め設定されたオフセットを設ける方法などが考えられる)。
【０１１５】
(下りリンク制御情報が２つ以上のＣＣに対するＳＬ ＳＰＳに関連する場合)下りリンク制御情報は２つ以上のＣＣ上で送信されるメッセージが同一であるか否かを指示する情報を含む。即ち、ＳＬ ＣＡ送信を考慮してＳＣＩフィールド内に複数のキャリアにより送信されるメッセージが同一であるか又は異なるかを表示する指示子を追加することができる。
【０１１６】
ＬＴＥリリース１５ Ｖ２Ｘのキャリア集成(ＣＡ；ｃａｒｒｉｅｒ ａｇｇｒｅｇａｔｉｏｎ)の論議結果によって、送信端末の観点で(ＣＡに設定された)各キャリアにより送信される個別メッセージが、(１)完全に(／部分的に)異なるメッセージである場合、(２)完全に／部分的に同じメッセージである場合の、２つの場合を全て考慮する必要がある。一例として、(１)の送信方法では、大きいサイズのデータパケットを複数のＶ２Ｘメッセージに分割して、分割された各メッセージを個別キャリアによりＣＡ送信時に活用し、(２)の送信方法では、メッセージ送信の信頼性向上のための複数のキャリアによる同一／類似メッセージの繰り返し送信に活用することができる。従って、ＳＬ ＣＡの送信時、複数のキャリアにより送信されるメッセージが同一であるか／異なるかに関する情報を表現する指示子を制御情報に含めて送信する必要性について考える必要がある。
【０１１７】
上記指示子はＳＣＩフィールドに含まれることができ(例えば、予約されたビットを活用した指示)、既存のＤＣＩフォーマット(ＲＥＬ−１４基準のフォーマット５Ａ)にフィールド追加の形態で含まれることもでき、或いはデータチャネル(ＰＳＳＣＨ)にピギーバックして送信する方法も考えられる。
【０１１８】
一方、受信端末は指示子により自分が複数のキャリアで受信したメッセージが同一であるか又は異なるかを判断し、同一のメッセージである場合は、受信端の物理階層で(ソフト)結合により受信信頼性を向上させることができる。この時、送信キャリアごとにチャネルコーディングの冗長バージョン(Ｒｅｄｕｎｄａｎｃｙ Ｖｅｒｓｉｏｎ)が同一であるか又は異なる。２つ以上のＣＣ上で送信されるメッセージが同一でない場合、２つ以上のＣＣ上で送信される各メッセージは一つのメッセージの一部に該当し、これは受信端末での復号時に結合できる。即ち、異なるメッセージである場合、受信端末は各キャリアで受信したメッセージを各々復号し、指示子に基づいて上位階層の動作によりさらに大きいサイズのデータパケットに復元することが可能である。
【０１１９】
ＳＰＳに関連する下りリンク制御情報はＤＣＩフォーマット５Ａであり、ＤＣＩフォーマット５ＡはＳＰＳ活性化／解除情報を含む。
【０１２０】
一方、下りリンク制御情報に含まれたキャリア指示子フィールドは２つ以上のＣＣ組み合わせを指示することができる。即ち、キャリア指示子により単一のキャリア送信に対するキャリアを指示した従来方法とは異なり、ＣＡ送信に使用される複数のＣＣに対するインデックス組み合わせを指示するフィールドと定義することができる。具体的には、予めネットワークにより設定された、又はシグナリングされた(送信キャリアのインデックス組み合わせＣＩＦ)値のマッピングルールに基づいてＣＩＦ値によりＣＡ送信に使用された複数のＣＣインデックスを表現するように動作することができる。一例として、２ＣＣ ＣＡ送信を仮定した時、以下の表２のようなＣＣインデックス組み合わせ−ＣＩＦ値のマッピングルールを使用できる。ＬＴＥリリース１４の基準では、ＣＩＦ３−ビットにより表現可能な送信キャリアのインデックス組み合わせの数は８個であるが、ネットワークは可能な全てのキャリア組み合わせのうち、特定のルール(例えば、長期間測定に基づくなど)により予め指定した／選択した送信キャリアのインデックス組み合わせについてＣＩＦ値とのマッピングテーブルを形成することができ、これはネットワークの具現方法によって異なる。
【０１２１】
【表２】
0006974589.tif 000015
【０１２２】
表３は３つのＣＣがＣａｒｒｉｅｒ ｉｎｄｉｃａｔｏｒフィールドにより指示される場合の送信キャリアのインデックス組み合わせを例示している。
【０１２３】
もし複数の集成されたＣＣ(ａｇｇｒｅｇａｔｅｄ ＣＣ)の数に対するＣＩＦテーブルについて(表２及び表３を参照)、端末間に予め約束されているか、基地局／端末によりテーブルがシグナリングされている状況であれば、基地局は'集成されたＣＣの数'をＤＣＩフィールドに含めることにより、端末が該当集成されたＣＣの数に該当するＣＩＦテーブルに基地局により指示されたＣＩＦ値をマッピングして送信キャリアのインデックス組み合わせを探すことができる。たとえ、集成されたＣＣの数が３であり、ＣＩＦフィールド値が'００１'である場合は、表３を参照して、送信キャリアのインデックス組み合わせは(ＣＣ０、ＣＣ２)と解釈することができる。
【０１２４】
【表３】
0006974589.tif 000016
【０１２５】
一方、下りリンク制御情報が２つ以上のＣＣに対するＳＬ ＳＰＳに関連する場合、下りリンク制御情報に含まれたＳＬ ＳＰＳ構成インデックスは上記２つ以上のＣＣに対するＳＰＳプロセスを指示することができる。即ち、送信端末はＳＬ ＳＰＳ構成インデックスにより単一の送信キャリアに対するＳＰＳプロセスを指示した従来方法とは異なり、ＣＡ送信に活用される複数の送信キャリアの各々に対するＳＰＳプロセス設定を指示するように定義することができる。一例として、２−ＣＣ ＣＡ送信を仮定した時、以下の表４のようなＳＬ ＳＰＳ構成インデックス−送信キャリアごとのＳＰＳプロセスインデックス値のマッピングルールが適用される。この時、キャリア＃Ｘ及びキャリア＃Ｙにおいて、Ｘ、Ｙ値は送信キャリアのインデックスを示し、キャリア指示子フィールドにより指示される値である。マッピング方式はネットワーク具現方法によって異なり、端末に予めネットワークにより設定されるか、又はシグナリングされる。表５は３−ＣＣ ＣＡ送信の具体例である。
【０１２６】
【表４】
0006974589.tif 000017
【０１２７】
【表５】
0006974589.tif 000018
【０１２８】
上記表の例示において、ＣＣの数が異なる時、ＣＩＦ及びＳＰＳ ｃｏｎｆｉｇ.Ｉｎｄｅｘのペイロード値は固定した値であるか、又は互いに異なる。固定した値を使用すると、必要な組み合わせの数だけ使用し、残りはゼロ詰め(ｚｅｒｏ−ｐａｄｄｉｎｇ)される。たとえ、固定したペイロード値が５ビットであるが、２−ＣＣ ＣＡにおいて８個の組み合わせ(３ビットが必要)のみを表現すると、２ビットは００とゼロ詰めされる。
【０１２９】
又は、もし複数の集成されたＣＣの数に対するＳＬ ＳＰＳ ｃｏｎｆｉｇ.ｉｎｄｅｘ ｔａｂｌｅについて(表４及び表５を参照)、端末間に予め約束されているか、基地局／端末によりテーブルがシグナリングされている状況であれば、基地局は'集成されたＣＣの数'をＤＣＩフィールドに含めることにより、端末が該当集成されたＣＣの数に該当するＳＬ ＳＰＳ ｃｏｎｆｉｇ.ｉｎｄｅｘ ｔａｂｌｅに基地局により指示されたＳＬ ＳＰＳ ｃｏｎｆｉｇｕｒａｔｉｏｎ ｉｎｄｅｘをマッピングして複数のキャリアに対するＳＬ ＳＰＳ ｃｏｎｆｉｇ.の組み合わせを探すことができる。たとえ、集成されたＣＣの数が３であり、ＣＩＦフィールド値が'００１'である場合は、表５を参考して、ＳＰＳ ｐｒｏｃｅｓｓ ＃０ ｆｏｒ ｃａｒｒｉｅｒ＃Ｘ、ＳＰＳ ｐｒｏｃｅｓｓ ＃２ ｆｏｒ ｃａｒｒｉｅｒ＃Ｙ、ＳＰＳ ｐｒｏｃｅｓｓ ＃３ ｆｏｒ ｃａｒｒｉｅｒ＃Ｚと解釈することができる。
【０１３０】
一方、ＬＴＥリリース１４において、ＤＣＩフォーマット５Ａの場合、同じ検索空間上のＤＣＩフォーマット０にサイズフィッティング(ｓｉｚｅ−ｆｉｔｔｉｎｇ)するが、この時に発生した埋め草ビット(Ｐａｄｄｉｎｇ Ｂｉｔ)を上述した具体的な方法に必要なビットとして使用することができる。即ち、情報ビット数がＤＣＩフォーマット０の情報ビット数より小さいＤＣＩフォーマット５ＡがＤＣＩフォーマット０のための検索空間上にマッピングされる場合、残るビットが発生し、これはゼロ詰めされるが、このゼロ詰めされるビットを本発明に説明された１つ以上の情報のために使用することができる。例えば、複数のキャリア上で送信されるメッセージが互いに同一であるか又は(部分的に)異なるかを指示するために、既存にゼロ詰めされたビットのうちの一部を使用することができる。
【０１３１】
上述した方法を使用する場合、既存のＤＣＩフォーマットサイズを変更しないことができる。例えば、下りリンク制御情報が２つ以上のＣＣに対するＳＬ ＳＰＳを指示しても、上述した方法により更なるビットを使用せず、既存のＤＣＩフォーマット５Ａと同様にビット数を維持することができる。
【０１３２】
この明細書では、ＤＣＩフィールド内の‘キャリア指示子(ｃａｒｒｉｅｒ ｉｎｄｉｃａｔｏｒ)’及び‘ＳＬ ＳＰＳ ｃｏｎｆｉｇｕｒａｔｉｏｎ ｉｎｄｅｘ’フィールドを用いて複数のキャリアに対するリソースのＳＰＳ同時設定／解除設定を行う方法について説明したが、これは提案する技法を制限することではなく、上記２つのフィールドではなくても、ＤＣＩ内の異なる２つ以上のフィールドの組み合わせによっても提案技法を同様に適用することができる。
【０１３３】
一方、本発明の内容は端末間直接通信のみに制限されず、上りリンク或いは下りリンクにも使用できる。この時、基地局や中継ノード(ｒｅｌａｙ ｎｏｄｅ)などが上記提案した方法を使用することができる。上述した提案方式は独立して具現するか、又は一部の提案方式の組み合わせ(又は併合)の形態で具現することができる。上記提案方法の適用有無に関する情報(又は提案方法の規則に関する情報)は、基地局が端末に予め定義されたシグナル(例えば、物理階層シグナル或いは上位階層シグナル)により知らせるように規定できる。上述した提案方式に対する一例も本発明の具現方法の一つであり、提案方式の一つとして判断することができる。
【０１３４】
本発明の実施例による装置構成
【０１３５】
図１６は本発明の実施例による送信ポイント装置及び端末装置の構成を示す図である。
【０１３６】
図１６を参照すると、本発明による送信ポイント装置１０は、受信装置１１、送信装置１２、プロセッサ１３、メモリ１４及び複数のアンテナ１５を含む。複数のアンテナ１５はＭＩＭＯ送受信を支援する送信ポイント装置を意味する。受信装置１１は端末からの上りリンク上の各種信号、データ及び情報を受信する。送信装置１２は端末への下りリンク上の各種信号、データ及び情報を送信する。プロセッサ１３は送信ポイント装置１０の全般の動作を制御する。本発明の一実施例による送信ポイント装置１０のプロセッサ１３は、上述した実施例において必要な事項を処理する。
【０１３７】
送信ポイント装置１０のプロセッサ１３はさらに、送信ポイント装置１０が受信した情報、外部に送信する情報などを演算処理する機能を行う。またメモリ１４は演算処理された情報などを所定時間の間に貯蔵し、バッファー(図示せず)などの構成要素に代替できる。
【０１３８】
次いで、図１６を参照すると、本発明による端末装置２０は、受信装置２１、送信装置２２、プロセッサ２３、メモリ２４及び複数のアンテナ２５を含む。複数のアンテナ２５はＭＩＭＯ送受信を支援する端末装置を意味する。受信装置２１は基地局からの下りリンク上の各種信号、データ及び情報を受信する。送信装置２２は基地局への上りリンク上の各種信号、データ及び情報を送信する。プロセッサ２３は端末装置２０の全般の動作を制御する。
【０１３９】
本発明の一実施例による端末装置２０のプロセッサ２３は、上述した各実施例で必要な事項を処理する。具体的には、プロセッサは、ＳＬ ＳＰＳ(Ｓｉｄｅｌｉｎｋ Ｓｅｍｉ ｐｅｒｓｉｓｔｅｎｔ ｓｃｈｅｄｕｌｉｎｇ)に関連する下りリンク制御情報(Ｄｏｗｎｌｉｎｋ ｃｏｎｔｒｏｌ ｉｎｆｏｒｍａｔｉｏｎ)を受信し、該下りリンク制御情報のＳＬ ＳＰＳ構成(ｃｏｎｆｉｇｕｒａｔｉｏｎ)を活性化指示によって１番目のＰＳＣＣＨの送信を行い、このＰＳＣＣＨの送信後、予約されたリソースで２番目のＰＳＣＣＨを送信し、下りリンク制御情報が２つ以上のＣＣ(ｃｏｍｐｏｎｅｎｔ ｃａｒｒｉｅｒ)に対するＳＬ ＳＰＳに関連する場合は、各ＣＣにおいて１番目のＰＳＣＣＨが送信される時間リソース単位は互いに重畳しないことができる。さらに端末装置２０のプロセッサ２３は、端末装置２０が受信した情報、外部に送信する情報などを演算処理する機能を行い、メモリ２４は、演算処理された情報などを所定時間の間に貯蔵し、バッファー(図示せず)などの構成要素に代替することができる。
【０１４０】
このような送信ポイント装置及び端末装置の具体的な構成は、上述した本発明の様々な実施例に説明した事項が独立して適用されるか、又は２つ以上の実施例が同時に適用されて具現でき、重複する内容は明確性のために説明を省略する。
【０１４１】
また図１６に関する説明において、送信ポイント装置１０に関する説明は、下りリンク送信主体又は上りリンク受信主体としての中継器装置についても同様に適用でき、端末装置２０に関する説明は、下りリンク受信主体又は上りリンク送信主体としての中継器装置についても同様に適用できる。
【０１４２】
上述した本発明の実施例は、様々な手段によって具現することができる。例えば、本発明の実施例は、ハードウェア、ファームウエア(ｆｉｒｍｗａｒｅ)、ソフトウェア又はそれらの結合などによって具現されてもよい。
【０１４３】
ハードウェアによる具現の場合、本発明の実施例に係る方法は、１つ又はそれ以上のＡＳＩＣｓ(Ａｐｐｌｉｃａｔｉｏｎ Ｓｐｅｃｉｆｉｃ Ｉｎｔｅｇｒａｔｅｄ Ｃｉｒｃｕｉｔｓ)、ＤＳＰｓ(Ｄｉｇｉｔａｌ Ｓｉｇｎａｌ Ｐｒｏｃｅｓｓｏｒｓ)、ＤＳＰＤｓ(Ｄｉｇｉｔａｌ Ｓｉｇｎａｌ Ｐｒｏｃｅｓｓｉｎｇ Ｄｅｖｉｃｅｓ)、ＰＬＤｓ(Ｐｒｏｇｒａｍｍａｂｌｅ Ｌｏｇｉｃ Ｄｅｖｉｃｅｓ)、ＦＰＧＡｓ(Ｆｉｅｌｄ Ｐｒｏｇｒａｍｍａｂｌｅ Ｇａｔｅ Ａｒｒａｙｓ)、プロセッサ、コントローラ、マイクロコントローラ、マイクロプロセッサなどによって具現されてもよい。
【０１４４】
ファームウェアやソフトウェアによる具現の場合、本発明の実施例に係る方法は、以上で説明した機能又は動作を実行するモジュール、手順又は関数などの形態で具現することができる。ソフトウェアコードはメモリユニットに格納され、プロセッサによって駆動されてもよい。前記メモリユニットは、前記プロセッサの内部又は外部に設けられ、公知の様々な手段によって前記プロセッサとデータを交換することができる。
【０１４５】
上述したように開示された本発明の好適な実施例に関する詳細な説明は、当業者が本発明を具現し、実施できるように提供されている。以上では、本発明の好適な実施例を参照して説明したが、当該技術分野における熟練した当業者は、本発明の領域から逸脱しない範囲内で本発明を様々に修正及び変更可能であることを理解できるであろう。例えば、当業者は、上述した実施例に記載された各構成を互いに組み合わせる方式で用いることができる。したがって、本発明は、ここに開示された実施形態に制限されるものではなく、ここに開示された原理及び新規な特徴と一致する最も広い範囲を付与するためのものである。
【０１４６】
本発明は、本発明の精神及び必須の特徴から逸脱しない範囲で、他の特定の形態に具体化することができる。よって、上記の詳細な説明はいずれの面においても制限的に解釈してはならず、例示的なものとして考慮しなければならない。本発明の範囲は、添付の請求項の合理的解釈によって定められなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を付与するためのものである。また、特許請求の範囲で明示的な引用関係を有しない請求項を結合して実施例を構成し、出願後の補正によって新たな請求項として含むことができる。
【産業上の利用可能性】
【０１４７】
上述のような本発明の実施形態は、様々な移動通信システムに適用することができる。
【図１】
0006974589.tif 000019
【図２】
0006974589.tif 000020
【図３】
0006974589.tif 000021
【図４】
0006974589.tif 000022
【図５】
0006974589.tif 000023
【図６】
0006974589.tif 000024
【図７】
0006974589.tif 000025
【図８】
0006974589.tif 000026
【図９】
0006974589.tif 000027
【図１０】
0006974589.tif 000028
【図１１】
0006974589.tif 000029
【図１２】
0006974589.tif 000030
【図１３】
0006974589.tif 000031
【図１４】
0006974589.tif 000032
【図１５】
0006974589.tif 000033
【図１６】
0006974589.tif 000034